(57)【特許請求の範囲】
【請求項１】
フードに形成されている手入れ窓の一端側近傍で回動自在に支持されると共に前側外縁及び後側外縁を有するドアを、前記手入れ窓の他端側近傍で閉塞状態にロックする、保育器のフックスライダにおいて、
前記他端側近傍の前記フードに取付けられている固定部材と、
この固定部材に摺動自在に取付けられて第１バネによって後退位置からロック位置の方向に付勢され、前記第１バネの弾性力に抗して押圧力を受けて前記後退位置に摺動させられる押し釦面と、前記ロック位置で前記ドアの前記前側外縁に係合して前記ドアを前記閉塞状態にロックするロック面とを有しており、前記摺動によって前記後退位置において前記固定部材との間の隙間を広げると共に前記ロック位置において前記隙間を狭める可動部材と、
前記押し釦面の前記押圧時に広げられた前記隙間へ第２バネの弾性力で第１突起が入り込み前記第１バネの前記弾性力による前記ロック位置への前記可動部材の前記摺動を防止してこの可動部材を前記後退位置に保持し、前記第２バネの前記弾性力に抗して前記ドアの前記後側外縁に第２突起が押圧された時に前記第１突起が前記隙間から脱出し前記第１バネの前記弾性力によって前記ロック位置へ前記可動部材を摺動させてこの可動部材の前記後退位置での前記保持を解除する停止部材と
を備えることを特徴とする保育器のフックスライダ。
【発明の詳細な説明】
【０００１】
【発明の属する技術分野】
本発明は、フードに形成された手入れ窓のドアをロックする保育器のフックスライダに関する。
【０００２】
【従来の技術】
このような保育器のフックスライダ１０は、図１〜図３に示すように、フード１６に形成された手入れ窓２０のドア３０の近傍に形成される。即ち、ドア３０は、手入れ窓２０の一端側３２の近傍で回動自在に支持され、前側外縁３４及び後側外縁３６を持っている。また、手入れ窓２０の他端側３８の近傍のフード１６には、ドア３０をロックするフックスライダ１０が設けられている。
【０００３】
このフックスライダ１０は、手入れ窓２０の他端側３８の近傍のフード１６に取付けられる固定部材４０と、この固定部材４０に摺動自在に取付けられる可動部材４２とを備えている。可動部材４２は、バネ４４によって後退位置（図２に示す位置より左側の位置）からロック位置方向に付勢され、バネ４４の弾性力に抗して押圧力を受けて前記後退位置に移動させられる押し釦面４６と、バネ４４の弾性力に抗してドア３０の後側外縁３６に係合して前記後退位置に移動させられる押開け斜面４８と、前記ロック位置でドア３０の前側外縁３４に係合してドア３０をロックするロック斜面５０とを有している。
【０００４】
【発明が解決しようとする課題】
従って、通常可動部材４２を押して或いは、ドア３０を勢いよく閉めて図１の状態から図２の状態を経て図３の状態に移行させてドア３０をロックさせるのであるが、時々一見して閉めているような図２の状態に留まる恐れがある。
【０００５】
即ち、ドア３０の前側外縁３４及び後側外縁３６の境界部分は、通常丸まっており、また押開け斜面４８及びロック斜面５０の境界部分も丸まっているので、これらの境界部分が互いにぶつかり合って平衡し、ドア３０が閉まっているようにみえる。この状態では、フードの内側から力が掛かった場合にドア３０が簡単に開いてしまう恐れがある。またドア３０を閉める時の音も相当高い。
【０００６】
本発明は、前記事情に鑑み、フードの内側から力が掛かっても容易に開かない高信頼性の保育器のフックスライダを提供することを目的とする。
【０００７】
【課題を解決するための手段】
本発明による保育器のフックスライダは、
フードに形成されている手入れ窓の一端側近傍で回動自在に支持されると共に前側外縁及び後側外縁を有するドアを、前記手入れ窓の他端側近傍で閉塞状態にロックする、保育器のフックスライダにおいて、
前記他端側近傍の前記フードに取付けられている固定部材と、
この固定部材に摺動自在に取付けられて第１バネによって後退位置からロック位置の方向に付勢され、前記第１バネの弾性力に抗して押圧力を受けて前記後退位置に摺動させられる押し釦面と、前記ロック位置で前記ドアの前記前側外縁に係合して前記ドアを前記閉塞状態にロックするロック面とを有しており、前記摺動によって前記後退位置において前記固定部材との間の隙間を広げると共に前記ロック位置において前記隙間を狭める可動部材と、
前記押し釦面の前記押圧時に広げられた前記隙間へ第２バネの弾性力で第１突起が入り込み前記第１バネの前記弾性力による前記ロック位置への前記可動部材の前記摺動を防止してこの可動部材を前記後退位置に保持し、前記第２バネの前記弾性力に抗して前記ドアの前記後側外縁に第２突起が押圧された時に前記第１突起が前記隙間から脱出し前記第１バネの前記弾性力によって前記ロック位置へ前記可動部材を摺動させてこの可動部材の前記後退位置での前記保持を解除する停止部材と
を備えることを特徴とする。
【０００８】
【発明の実施の形態】
以下、本発明の実施例を図面を参照して詳細に説明する。図４〜図７は、本発明による一実施例の保育器を前側から見た部分概略断面図である。また、図５〜図７において、図１で説明した部材と対応する部材には、それぞれ同一の符号を付してある。
【０００９】
図４において、保育器の略直方体の本体１２には、空調等の設備を内蔵している。この本体１２上には透明な保育室１４が取付られ、これら本体１２及び保育室１４間に仕切板（図示略）が着脱自在に取付けられている。また、保育室１４は、四方及び天井がアクリル樹脂等の透明なフード１６から形成され、掃除用に例えば６０度回動できるように後側の本体１２と蝶番付されている。
【００１０】
この保育室１４内には、児体を寝かせる臥床架（図示略）と、この臥床架の左右の高さがハンドル１８によって個別に調節可能な昇降装置（図示略）が設けられている。この昇降装置は、仕切板上に着脱自在にネジ止めされ、昇降装置上には臥床架が着脱自在に取付けらている。従って、取外された昇降装置は容易に清拭及び消毒をすることができる。
【００１１】
更に、フード１６の前面には、児体への看護婦のアクセス或は医療機器の取付の際に開閉される手入れ窓２０の透明ドア３０が蝶番（図示略）等で取付けられている。
【００１２】
図５は、手入れ窓２０のドア３０が開いていてフックスライダ１０が待機状態の位置にある手入れ窓２０の部分概略断面図である。図６は、フックスライダ１０の停止部材がドアによって押圧される直前状態の手入れ窓２０の部分概略断面図である。図７は、フックスライダ１０がロック状態にある手入れ窓２０の部分概略断面図である。
【００１３】
これらの図５〜図７において、フックスライダ１０は、保育器のフード１６に形成された手入れ窓２０のドア３０の近傍に形成される。フード１６の手入れ窓２０には、閉塞時にドア３０と重なって保育室１４を密封するシリコンゴムの密封材３１が設けられている。
【００１４】
即ち、ドア３０は、手入れ窓２０の一端側３２の近傍においてフード１６に蝶番３３によって回動自在に支持され、少なくともその他端に透明なドア表面から傾斜した前側外縁３４を持っている。また、手入れ窓２０の他端側３８の近傍のフード１６には、この前側外縁３４に係合してドア３０をロックするフックスライダ１０が設けられている。
【００１５】
このフックスライダ１０は、手入れ窓２０の他端側３８の近傍のフード１６に取付けられる固定部材４０と、この固定部材４０の斜面に摺動自在に取付けられる可動部材４２とを備えている。即ち、固定部材４０の前面に形成される斜面は、フード１６に直交する押圧力をフード１６の面に略平行に往復動作する力に変換するものである。
【００１６】
可動部材４２は、第１バネ４４によって後退位置（図５に示す位置）からロック位置方向に付勢されるが、本発明によれば、停止部材５２によってその後退位置に保持されるようになっている。
【００１７】
即ち、押し釦面４６は、通常、手指等の部位が児体の処置で菌汚染を防止するためにふさがっているので、例えば看護婦の手指以外の部位によって押圧力を受けて、第１バネ４４の弾性力に抗して可動部材４２を後退位置に移動させる。この時において、停止部材５２の突起５４は、図５に示すように、第２バネ５６の付勢力によって、後退位置において固定部材４０と可動部材４２との間に形成された隙間５３に浸入して、可動部材４２を後退位置に保持させる。
【００１８】
従って、停止部材５２は、固定部材４０内において第２バネ５６によってフード１６の面に直交する方向に付勢されると共に、ドア３０の必ずしも傾斜しなくてもよい後側外縁３６に当接して可動部材４２の保持状態を解除し得る第２突起５８を備えている。図６は、第２突起５８がドア３０の後側外縁３６に当接して可動部材４２の保持状態を解除する直前を示している。
【００１９】
本発明よれば、従来の押開け斜面４８に相当する面は、第１バネ４４の弾性力に抗してドア３０の後側外縁３６に係合して可動部材４２を後退位置に移動させる必要がないので、省略することができる。また、図７は、ロック位置でドア３０の前側外縁３４に係合してドア３０をロックする可動部材４２のロック面５０を示している。この場合、停止部材５２は、突起５４が固定部材４０と可動部材４２との間に形成された狭まった隙間５３に入り込めず、また第２突起５８がドア３０の後側外縁３６で僅かに押し込められた状態になっている。
【００２０】
【発明の効果】
本発明による保育器のフックスライダによれば、ドア３０を閉じる時にドア３０の後側外縁３６が従来のような押開け斜面４８に接触しないで通り過ぎて停止部材の第２突起にのみ当接し、その後ロックする方向に移動するので、従来のような平衡状態は発生せず、フードの内側から力が掛かっても容易に開かない高信頼性のフックスライダを提供することができる。
【００２１】
また、ドア３０を閉める時に要する力は、停止部材の第２突起を付勢する弾性力に略相当し、従って従来のそれより半分以下で済み、更に閉塞時の騒音も従来のそれよりかなり低減される利点も有している。
【図面の簡単な説明】
【図１】従来の手入れ窓のドアの閉まる直前の部分概略断面図である。
【図２】従来の手入れ窓のドアの起こりうる平衡状態の概略断面図である。
【図３】従来の手入れ窓のドアのロックされた状態の部分概略断面図である。
【図４】本発明の一実施例による保育器の概略斜視図である。
【図５】本発明によるフックスライダが待機状態の位置にある手入れ窓の部分概略断面図である。
【図６】本発明によるフックスライダが押圧状態の位置にある手入れ窓の部分概略断面図である。
【図７】本発明によるフックスライダがロック状態の位置にある手入れ窓の部分概略断面図である。
【符号の説明】
１６  フード
２０  手入れ窓
３０  ドア
３４  前側外縁
４０  固定部材
４２  可動部材
４４  第１バネ
４６  押し釦面
５０  ロック面
５２  停止部材
【図１】
0004338263.tif 000002
【図２】
0004338263.tif 000003
【図３】
0004338263.tif 000004
【図４】
0004338263.tif 000005
【図５】
0004338263.tif 000006
【図６】
0004338263.tif 000007
【図７】
0004338263.tif 000008